(57)【要約】【課題】  介護施設や医療施設に居住する個人の生活環境や状態を、一元的に表示して把握し、また遠隔地からでも把握できることで、個人の状況に応じて、いち早く対応を行える居宅状態集中管理装置を提供することにある。【解決手段】  管理表示手段が、各行動情報、各体調情報及び各雰囲気環境情報を、管理する個人の居住スペースを１単位として、複数人を同時に１つの管理画面で表示し、情報通信端末が、通信手段を介して、管理画面を遠隔地から閲覧可能であると共に把握手段設定値を設定・変更可能であることを特徴とする。【選択図】図１
2020064354.tif 000002
【特許請求の範囲】
【請求項１】
医療施設や介護施設や在宅における患者や利用者の個人の状態や行動や環境に係る各種の情報を統合管理する居宅状態集中管理装置において、
管理する個人の居住スペースを１単位として、該個人の状況を集中的に管理し表示する管理表示手段と、
該管理する個人の行動の状況を収集し、行動情報を該管理表示手段に送る行動把握手段と、
該管理する個人の体調の状況を収集し、体調情報を該管理表示手段に送る体調把握手段と、
該管理する個人の居住スペースの雰囲気環境の状況を収集し、雰囲気環境情報を該管理表示手段に送る環境把握手段と、
該行動把握手段、該体調把握手段及び該環境把握手段の設定値である把握手段設定値を設定・変更する把握手段設定手段と、
該居宅状態集中管理装置と、該居宅状態集中管理装置の外部の情報通信端末とが通信を行うための通信手段と、を備え、
該管理表示手段が、各該行動情報、各該体調情報及び各該雰囲気環境情報を、該管理する個人の居住スペースを１単位として、複数人を同時に１つの管理画面で表示し、
該情報通信端末が、該通信手段を介して、該管理画面を遠隔地から閲覧可能であると共に該把握手段設定値を設定・変更可能であることを特徴とする居宅状態集中管理装置。
【請求項２】
前記管理表示手段が、前記行動情報、前記体調情報又は及び前記雰囲気環境情報から、前記管理する個人の異常を検知した場合、前記管理画面に異常を表示し、
該行動情報、該体調情報又は及び該雰囲気環境情報から、該管理する個人の異常と判断する閾値を、前記把握手段設定値として前記把握手段設定手段により設定・変更が可能であることを特徴とする請求項１記載の居宅状態集中管理装置。
【請求項３】
前記雰囲気環境情報が、温度、湿度又は及び前記居住スペースの明るさであることを特徴とする請求項１又は請求項２記載の居宅状態集中管理装置。
【発明の詳細な説明】
【技術分野】
【０００１】
本発明は、医療施設や介護施設や在宅における患者や利用者の個人の状態や行動や環境に係る各種の情報を統合管理する居宅状態集中管理装置に関する。
【背景技術】
【０００２】
従来より、医療施設や介護施設における患者や利用者やスタッフの行動に係る各種の情報を統合管理する医療介護施設管理装置の一角をなすものとして、ナースコール装置がある。ナースコール装置は、入院患者からの緊急呼出に看護師が対応するための呼出装置である。尚、ナースコール装置において、例えば、各種の携帯端末と接続して、利便性を向上させるための装置が提案されている。
【０００３】
例えば、本願出願人の出願による特許文献１に示される医療介護施設管理装置は、医療介護施設の内外の情報通信ネットワークと接続され、各種の情報通信端末又は及び情報収集端末から各種の情報を受け取ると共に、各種の情報通信端末又は及び情報収集端末に対して自身が所持している機能やデータを提供するシステム管理装置を備え、システム管理装置が、各種の通信形態を有する各種の情報通信端末又は情報収集端末との間で情報の授受が可能なソフトウェア又は及びハードウェアを有していることを特徴とする。
【先行技術文献】
【特許文献】
【０００４】
【特許文献１】特開２０１６−２２４５０９号公報
【発明の概要】
【発明が解決しようとする課題】
【０００５】
しかしながら、従来の管理装置では、介護施設や医療施設に居住する多くの利用者や患者個人の状況を、一元的に把握することが困難で、異常をいち早く対応することが、十分に行いにくい状況である。
【０００６】
本発明は、このような事情に鑑みてなされたもので、介護施設や医療施設に居住する個人の生活環境や状態を、一元的に表示して把握し、また遠隔地からでも把握できることで、個人の状況に応じて、いち早く対応を行える居宅状態集中管理装置を提供することにある。
【課題を解決するための手段】
【０００７】
請求項１記載の居宅状態集中管理装置は、管理する個人の居住スペースを１単位として、個人の状況を集中的に管理し表示する管理表示手段と、管理する個人の行動の状況を収集し、行動情報を管理表示手段に送る行動把握手段と、管理する個人の体調の状況を収集し、体調情報を管理表示手段に送る体調把握手段と、管理する個人の居住スペースの雰囲気環境の状況を収集し、雰囲気環境情報を管理表示手段に送る環境把握手段と、行動把握手段、体調把握手段及び環境把握手段の設定値である把握手段設定値を設定・変更する把握手段設定手段と、居宅状態集中管理装置と、居宅状態集中管理装置の外部の情報通信端末とが通信を行うための通信手段と、を備え、管理表示手段が、各行動情報、各体調情報及び各雰囲気環境情報を、管理する個人の居住スペースを１単位として、複数人を同時に１つの管理画面で表示し、情報通信端末が、通信手段を介して、管理画面を遠隔地から閲覧可能であると共に把握手段設定値を設定・変更可能であることを特徴とする。
【０００８】
請求項２記載の居宅状態集中管理装置は、管理表示手段が、行動情報、体調情報又は及び雰囲気環境情報から、管理する個人の異常を検知した場合、管理画面に異常を表示し、行動情報、体調情報又は及び雰囲気環境情報から、管理する個人の異常と判断する閾値を、把握手段設定値として把握手段設定手段により設定・変更が可能であることを特徴とする。
【０００９】
請求項３記載の居宅状態集中管理装置は、雰囲気環境情報が、温度、湿度又は及び居住スペースの明るさであることを特徴とする。
【発明の効果】
【００１０】
本願の発明によれば、介護施設や医療施設に居住する個人の生活環境や状態を、一元的に表示して把握し、また遠隔地からでも把握できることで、個人の状況に応じて、いち早く対応を行えるようになる。
【図面の簡単な説明】
【００１１】
【図１】本発明に係る居宅状態集中管理装置の一例を示す構成図である。
【図２】同居宅状態集中管理装置の管理画面の一例を示す説明図である。
【図３】同居宅状態集中管理装置の管理画面の一部を示す説明図である。
【図４】同居宅状態集中管理装置の通信の様子を示す説明図である。
【発明を実施するための形態】
【００１２】
以下、本発明の形態について図面を参照しながら具体的に説明する。図１は、本発明に係る居宅状態集中管理装置の一例を示す構成図である。図２は、同居宅状態集中管理装置の管理画面の一例を示す説明図である。図３は、同居宅状態集中管理装置の管理画面の一部を示す説明図である。図４は、同居宅状態集中管理装置の通信の様子を示す説明図である。図における居宅状態集中管理装置１は、医療施設や介護施設や在宅における患者や利用者の個人の状態や行動や環境に係る各種の情報を統合管理するためのものである。
【００１３】
居宅状態集中管理装置１は、例えば、１つの介護施設や医療施設の居室や病室を網羅的に把握するもので、システム管理装置１０、情報通信ネットワーク１２、情報収集端末等から構成されている（以下の説明では、介護施設を代表例として説明するが、医療施設についても、同様である）。システム管理装置１０は、介護施設内の情報通信ネットワーク１２を介して、後述する利用者が居住する居室６０，７０や、ナースステーション２０等と接続されている。
【００１４】
情報通信ネットワーク１２は、特に限定されるものではなく、各種の電子情報の授受が可能であればよく、例えば、ＬＡＮ形式のネットワーク網の他、電話回線仕様や専用線等の形態であってもよい。尚、システム管理装置１０が情報通信ネットワーク１２を介して接続される居室６０，７０等は、必ずしも同じ介護施設内に限定されず、個人住宅の居室等の他の場所であってもよく、図１に示すように、例えば電気通信回線５を介して接続するようにしてもよい。すなわち、居宅状態集中管理装置１が、後述する管理画面９０や把握手段設定手段の把握手段設定値を、遠隔地から閲覧・設定可能にする通信手段を備えている。
【００１５】
システム管理装置１０は、介護施設で管理する個人の居住スペースである居室６０，７０を１単位として、個人の状況を集中的に管理し表示する管理表示手段としての機能を果たし、管理する個人の居室６０，７０を１単位として、複数人を同時に１つの管理画面９０に表示できるように管理画面９０を生成する。尚、実際の管理画面９０は、後述するナースステーション２０の電子計算機２４のモニタに表示させたり、巡回スタッフが所持する施設域内用情報通信端末であるコードレス電話機４４に表示させることになる。また、システム管理装置１０は、管理画面９０を生成するにあたり、リアルタイムで、各種の情報（後述する行動情報、体調情報、雰囲気環境情報、ナースコール情報等）を、居室６０，７０等から受け取る機能も有している。
【００１６】
次に、図１に示す介護施設における各部分について説明する。尚、図１に示す介護施設としての構成は、あくまでも例であり、医療施設との違いもある。まず、ナースステーション２０は、介護士や看護師が控える部屋である。このナースステーション２０の電話機２２や電子計算機２４が、システム管理装置１０に接続され、電子計算機２４のモニタに、管理画面９０が表示される。また、本実施の形態では、ナースコール装置がシステム管理装置１０を基幹として形成されているものとして説明するが、電話機２２や電子計算機２４を、ナースコール装置の応答や呼びかけのための端末として使用することも可能である。
【００１７】
事務室３０は、介護士や看護師以外の介護施設の事務系のスタッフが事務を執り行っている部屋であり、図示しない防災関係の制御装置が設けられていたり、電話機３２等を用いて館内放送が可能な放送装置３４等を備えている。尚、介護施設によっては、事務室３０とナースステーション２０とが兼ねているようなところもある。
【００１８】
巡回スタッフ４０は、介護施設の部屋というわけではなく、施設内を移動する介護士や看護師等のスタッフを示しており、この巡回スタッフ４０は、例えば、システム管理装置１０に情報通信ネットワーク１２を介して接続された無線中継器４２を介して、音声を含む各種の情報の授受が可能なコードレス電話機４４を所持している。このコードレス電話機４４に、管理画面９０を表示させることも可能である。尚、巡回スタッフ４０は、コードレス電話機４４に限らず、無線中継器４２を介してシステム管理装置１０に接続されたＰＤＡ等の施設域内用情報通信端末を持ち歩くようにしてもよく、この施設域内用情報通信端末情報通信端末に管理画面９０を表示させるようにしてもよい。
【００１９】
出入口５０は、介護施設の玄関や通用口であり、監視カメラ５２やドアホン５４が設けられ、監視カメラ５２やドアホン５４が、情報通信ネットワーク１２を介してシステム管理装置１０に接続されている。
【００２０】
居室６０，７０は、管理する個人の居住スペースであり、本実施の形態では介護施設の部屋にあたるが、在宅での介護支援のような場合には、その在宅での居室である。居室６０，７０は、居宅状態集中管理装置１で個人の状況を管理するのに必要な各種情報を収集し管理表示手段としてのシステム管理装置１０に送るための手段を備えている。
【００２１】
具体的には、管理する個人の行動の状況を行動情報として収集して管理表示手段としてのシステム管理装置１０に送る行動把握手段としては、例えば、居室６０，７０内に居ることを検知したり、居室６０，７０のトイレやお風呂場に居ることを検知したり、居室６０，７０のドアの開閉を検知する開閉センサや、ベッドの上に居ることを検知したりする人感センサや、ベッドからの転落を検知するマットセンサや、個人の居室６０，７０内での様子を撮影する見守りカメラや、個人の行動の様子から生活リズムを把握する生活リズムセンサ等がある。
【００２２】
また、管理する個人の体調の状況を体調情報として収集して管理表示手段としてのシステム管理装置１０に送る体調把握手段としては、例えば、心拍数センサや、呼吸数センサや、体温センサ等がある。
【００２３】
さらに、管理する個人の居住スペースである居室６０，７０の雰囲気環境の状況を雰囲気環境情報として収集して管理表示手段としてのシステム管理装置１０に送る環境把握手段としては、例えば、温度計や湿度計や照度計等がある。尚、図１では、行動把握手段、体調把握手段及び環境把握手段を、まとめてセンサ類６４，７４として示している。
【００２４】
システム管理装置１０は、行動把握手段、体調把握手段及び環境把握手段の設定値である把握手段設定値を設定・変更する把握手段設定手段を備えている。具体的な新規設定や変更等の入力は、例えば、ナースステーション２０の電子計算機２４で行うことが可能である。この把握手段設定値は、各行動情報や各体調情報や各環境把握手段を、実際に管理画面９０に表示させるか否かの設定をはじめ、センサ類６４，７４の感度を設定する等の行動把握手段、体調把握手段及び環境把握手段の各種の設定を設定したり変更したりすることが可能である。
【００２５】
また、居室６０，７０には、管理する個人からの呼出であるナースコール情報を管理表示手段としてのシステム管理装置１０に送るナースコール手段として、呼出ボタン６２，７２も設けられている。この呼出ボタン６２，７４は、例えば、ベッドの脇に設けられていたり、居室６０，７０のトイレや浴室等にも設けられていたり、複数設けるようにすればよい。尚、図１では、複数のナースコール手段を、まとめて呼出ボタン６２，７２として示している。また、例えば、ナースステーション２０に、システム管理装置１０に接続されたナースコール手段から受け取ったナースコール情報を表示する大型呼出表示手段を備えるようにようにして、呼出ボタン６２，７２が押されたことをより目立たせて表示させるようにすることも可能である。
【００２６】
共有スペース８０は、廊下や食堂や談話室等の居室６０，７０とは異なる利用者が介護施設内で共有して使用する場所で、例えば、介護施設の全館放送用のスピーカ８４や、ナースコール装置での呼出ボタン８２等が、設けられている。
【００２７】
次に、図に示すナースステーション２０の電子計算機２４のモニタ等に表示される管理画面９０について説明する。まず、管理画面９０は、介護施設の規模により、ペース数を複数設けるようにすればよく、例えば、図２の例であれば、表示されている介護施設の１階の管理画面である１階管理画面１００の他、タブだけが表示されている２階管理画面２００、３階管理画面３００を表示可能に持ち、さらに、介護施設の外の在宅介護における居住スペースの管理画面である在宅４００も表示可能に持っている。各階及び在宅を表示させる場合、タグを選択すれば、現在表示されている１階管理画面１００と同等な画面が表示される。
【００２８】
１階管理画面１００には、各行動情報、各体調情報及び各雰囲気環境情報を、管理する個人の居住スペースを１単位として、複数人を同時に表示されている。具体的には、個人Ａ様の居室６０（以下の説明では、便宜上、各個人によって居室は異なるが、居室６０と記載）の様子を示す居室情報表示１１０を１単位として、複数の居室情報表示１２０〜１６０が、１階管理画面１００に表示されている。１つの居室情報表示１１０〜１６０に示される情報は、各行動情報、各体調情報及び各雰囲気環境情報の他、ナースコール情報である。
【００２９】
各居室情報表示１１０〜１６０をより具体的に説明する。居室情報表示１１０は、まず、部屋番号表示１１０ｂと、そもそも居室６０が使用されているか否かを示す入居状況表示１１０ｃとが示され、居室６０の使用者がある場合には、個人名表示１１０ａにその個人の氏名が個人名表示１１０ａに示される（居室情報表示１１０の場合、個人Ａ様が入居していることを示す）。尚、居室情報表示１６０のように個人名が表示されてないような場合、そもそも入居していないことを示している。尚、入居状況表示１１０ｃは、そもそも居室６０が使用されているか否かを示すだけではなく、居室情報表示１２０のように「不在」とは、介護施設の外に外出していたり外泊していたりといった情報も表示可能となっている。
【００３０】
居室情報表示１１０のベッドの図柄の表示は、行動情報を表示する行動情報表示１１２であり、この例では、ベッドに設けられたセンサ類で把握したベッド上に居るか否かの行動情報を示している。行動情報表示１１２では、ベッドのみの図柄で、ベッド上に個人Ａ様が居ないことを示している。また、居室情報表示１３０では、行動情報表示１１２は、ベッド上に居るが寝そべってはいないことを示し、居室情報表示１４０では、行動情報表示１１２は、ベッド上に居りかつ寝そべっていることを示している。これら行動情報表示１１２の違いは、センサ類６４からの行動情報の把握により切り換えられているものである。
【００３１】
居室情報表示１１０の体調情報表示１１４は、センサ類６４が検知した個人Ａ様の体調情報であり、心拍数表示１１４ａや呼吸数表示１１４ｂが示されている。また、居室情報表示１１０の雰囲気環境情報表示１１６は、センサ類６４が検知した居室６０の雰囲気環境情報であり、温湿度表示１１６ａや照度表示１１６ｂが示されている。
【００３２】
以上のように、管理画面９０で表示可能な項目としては、あくまでも一例であるが、その個人の詳細情報である氏名、年齢、性別、血液型、生年月日、平均体重、平均心拍数、平均呼吸数、住所、入居日、連絡先、電話番号、また、その個人の連絡先者情報として連絡先氏名、年齢、性別、住所、連絡先、電話番号、メールアドレス等がある。また、その個人の各種グラフを表示することも可能で、例えば、指定した期問の年月日の心拍数、呼吸数、温度、湿度のグラフや、今月の心拍数、呼吸数、温度、湿度のグラフや、今週の心拍数、呼吸数、温度、湿度のグラフや、今日の心拍数、呼吸数、温度、湿度のグラフ等がある。さらに、その個人の呼び出しの履歴表示である、発生日時、居室番号、氏名、性別、呼び出し機器種別、応答者等ある。さらに、その個人の現在の状態として、ベッドに寝ている、ベッドの頭側端にいる、ベッドの足側端にいる、ベッドの片側にいる、ベッドの端に腰かけている、ベッドで動いている、出かけている等がある。さらに、各センサー情報の状態をセンサーの生情報の表示等もある。さらに、各部屋の使用状態として、空室、在室、不在、照明の点灯、照明の消灯、外泊の他、食堂、トイレ、監視カメラ、浴室等の使用状態の表示もある。
【００３３】
居室情報表示１１０のナースコール情報表示１１８は、居室情報表示１１０の全体の背後色を変化させることを行っており、居室６０の呼出ボタン６２が押された場合、通常時とは異なる色を表示したり、色が点滅したりして、呼出をより明確に表示する。また、居室情報表示１１０では、トイレを示す呼出所在表示１１８ａが表示され、居室６０のトイレの呼出ボタン６２が押され、トイレから呼出が行われていることを示している。居室情報表示１５０では、浴室を示す呼出所在表示１１８ａが表示され、居室６０の浴室の呼出ボタン６２が押され、浴室から呼出が行われていることを示している。居室情報表示１３０では、「！」が呼出所在表示１１８ａとして表示されているが、この場合は、センサ類６４が、ベッドからの転落を検知した場合など、行動情報、体調情報又は及び雰囲気環境情報から、管理する個人の異常を検知した場合を示している。
【００３４】
このように、管理表示手段が、行動情報、体調情報又は及び雰囲気環境情報から、管理する個人の異常を検知した場合、管理画面９０に異常を表示することが可能であるが、把握手段設定手段で設定可能な把握手段設定値として、行動情報、体調情報又は及び雰囲気環境情報から管理する個人の異常と判断する閾値を設定し、また変更可能とすることもできる。
【００３５】
管理する個人の異常と判断する閾値としては、例えば、心拍数の上限値を判定する閾値、心拍数の下限値を判定する閾値、呼吸数の上限値を判定する閾値、呼吸数の下限値を判定する閾値、体重の上限値を判定する閾値、体重の下限値を判定する閾値の他、居室温度の上限値を判定する閾値、居室温度の下限値を判定する閾値、居室湿度の上限値を判定する閾値、居室湿度の下限値を判定する閾値、居室照度の上限値を判定する閾値、居室照度の下限値を判定する閾値等もある。
【００３６】
そして、居宅状態集中管理装置１は、居宅状態集中管理装置１の外部の情報通信端末５００，５０２，５０４とが通信を行うための通信手段を備え、図４に示すように、電気通信回線５を介して、情報通信端末５００，５０２，５０４が、各行動情報、各体調情報及び各雰囲気環境情報を、管理する個人の居住スペースを１単位として、複数人を同時に１つの管理画面９０に表示させることができる。また、居宅状態集中管理装置１の外部の情報通信端末５００，５０２，５０４が、通信手段を介して、管理画面９０を遠隔地から閲覧可能であると共に把握手段設定値を設定・変更可能である。
【００３７】
尚、居宅状態集中管理装置１の外部の情報通信端末５００，５０２，５０４は、図４に示すように、ＰＤＡのような端末の他、携帯電話や、電子計算機であってもよく、表示方法としては、インターネット・ブラウザのような手段を介して、表示や設定・変更が可能なようにすることも可能である。
【００３８】
また、図４に示すように、複数の居宅状態集中管理装置１，２，３が、電気通信回線５で接続されているような形態では、情報通信端末５００，５０２，５０４のぞれぞれから、居宅状態集中管理装置１，２，３のぞれぞれの管理画面９０を遠隔地から閲覧可能であると共に把握手段設定値を設定・変更可能である。
【００３９】
尚、居宅状態集中管理装置１に、行動情報、体調情報及び雰囲気環境情報を、履歴情報として保存する記録手段を設けることで、介護記録の作成が容易に可能で、また、介護・治療方針の検討のための個人の生活リズムの把握等が可能となる。
【００４０】
以上のような居宅状態集中管理装置１によれば、介護施設や医療施設に居住する個人の生活環境や状態を、一元的に表示して把握し、また遠隔地からでも把握できることで、個人の状況に応じて、いち早く対応を行えるようになる。
【００４１】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００４２】
本発明によれば、介護施設や医療施設に居住する個人の生活環境や状態を、一元的に表示して把握し、また遠隔地からでも把握できることで、個人の状況に応じて、いち早く対応を行える居宅状態集中管理装置を提供することができる。
【符号の説明】
【００４３】
１・・・・・・居宅状態集中管理装置
２・・・・・・居宅状態集中管理装置
３・・・・・・居宅状態集中管理装置
５・・・・・・電気通信回線
１０・・・・・システム管理装置
１２・・・・・情報通信ネットワーク
２０・・・・・ナースステーション
２２・・・・・電話機
２４・・・・・電子計算機
３０・・・・・事務室
３２・・・・・電話機
３４・・・・・放送装置
４０・・・・・巡回スタッフ
４２・・・・・無線中継器
４４・・・・・コードレス電話機
５０・・・・・出入口
５２・・・・・監視カメラ
５４・・・・・ドアホン
６０・・・・・居室
６２・・・・・呼出ボタン
６４・・・・・センサ類
７０・・・・・居室
７２・・・・・呼出ボタン
７４・・・・・センサ類
８０・・・・・共有スペース
８２・・・・・呼出ボタン
８４・・・・・スピーカ
９０・・・・・管理画面
１００・・・・１階管理画面
１１０・・・・居室情報表示
１１０ａ・・・個人名表示
１１０ｂ・・・部屋番号表示
１１０ｃ・・・入居状況表示
１１２・・・・行動情報表示
１１４・・・・体調情報表示
１１４ａ・・・心拍数表示
１１４ｂ・・・呼吸数表示
１１６・・・・雰囲気環境情報表示
１１６ａ・・・温湿度表示
１１６ｂ・・・照度表示
１１８・・・・ナースコール情報表示
１１８ａ・・・呼出所在表示
１２０・・・・居室情報表示
１３０・・・・居室情報表示
１４０・・・・居室情報表示
１５０・・・・居室情報表示
２００・・・・２階管理画面
３００・・・・３階管理画面
４００・・・・在宅管理画面
５００・・・・情報通信端末
５０２・・・・情報通信端末
５０４・・・・情報通信端末
【図１】
2020064354.tif 000003
【図２】
2020064354.tif 000004
【図３】
2020064354.tif 000005
【図４】
2020064354.tif 000006